(57)【特許請求の範囲】
【請求項１】
間接活線工具の可動側の先端部に取り付け可能に形成された第１の把持片と、前記間接活線工具の固定側の先端部に取り付け可能に形成された第２の把持片と、によって構成される間接活線用先端工具において、
前記第１の把持片及び第２の把持片は、間接活線工具の先端部に取り付け可能に形成された接続部と、前記接続部に続いて形成された爪部と、を有し、
前記爪部は、先端方向に延出して形成された棒状部を有し、
前記間接活線工具を開いたときの前記第１の把持片と第２の把持片間の距離は、把持対象物の最大幅よりも長く形成され、
前記棒状部の長さは、前記把持対象物の最大幅の半分の長さを少なくとも有し、
前記第２の把持片は、前記第１の把持片よりも把持方向の幅が広く形成され、
前記第１の把持片には、ｎ本（ｎは２以上の整数）の棒状部が一体に形成され、前記第２の把持片には、ｎ＋１本の棒状部が一体にして形成され、
前記第１の把持片及び前記第２の把持片のそれぞれの爪部の隣り合う棒状部間には隙間が形成され、
前記間接活線工具を閉じたときに、一方の把持片の前記隙間に他方の把持片の前記棒状部が挿通して、両把持片が交差することを特徴とする間接活線用先端工具。
【請求項２】
前記第１の把持片には、２本の棒状部が一体に形成され、前記第２の把持片には、３本の棒状部が一体にして形成されることを特徴とする請求項１に記載の間接活線用先端工具。
【請求項３】
前記棒状部は、前記間接活線用工具を最大限に開いたときに円筒状の把持対象物の側面に沿うように把持方向の内側に湾曲し、かつ、その長さが前記把持対象物の半径よりも長く形成されることを特徴とする請求項１又は２に記載の間接活線用先端工具。
【発明の詳細な説明】
【技術分野】
【０００１】
本発明は、間接活線工具の先端に取り付け可能な間接活線用先端工具に関する。
【背景技術】
【０００２】
間接活線作業においては、間接活線工具を使用して作業しており、例えば、防護用絶縁シート等の部材や所定の器具等を把持するために、棒状の先端部に把持部が設けられ他端にこの把持部の開閉を操作する操作部有するヤットコを使用している（特許文献１参照）。
【０００３】
また、ヤットコで径が細い引下線等を把持しようとすると、把持部から引下線が外れたりして把持しにくいため、把持部の一方が二股に形成され、他方の把持部の先端が閉じたときに二股の間に挿通するように形成されたクイックを使用している（特許文献２参照）。
このように、間接活線作業では把持対象物によって間接活線工具を使い分けている。
【先行技術文献】
【特許文献】
【０００４】
【特許文献１】特開２０１２―０６０７０３号公報
【特許文献２】特開２０１２―１６１１９８号公報
【発明の概要】
【発明が解決しようとする課題】
【０００５】
しかしながら、上述のとおり、ヤットコは細い径の把持対象物の把持には不向きであり、クイックは電線のような細い径の把持対象物にしか使用できないため、作業内容によってヤットコとクイックとを適宜持ち替えて作業しなければならず、作業性が悪い問題がある。
【０００６】
また、ヤットコやクイックでは、ピン碍子の碍子部分のような太径のものを把持しようとすると、把持部を開いたときの先端同士の距離が碍子部分の直径よりも短かったり、把持部の先端から回動軸までの距離が碍子部分の半径よりも短かったりするために、碍子部分の中心を挟んだ両側面を把持部が把持することができない。
【０００７】
このため、把持部が碍子部分から滑って安定した把持ができずにピン碍子が落下する恐れがあり、落下によりピン碍子が破損したり、落下したピン碍子に当たった材料が破損したり、落下したピン碍子に作業者が当たって怪我をしたりする恐れもある。
したがって、ヤットコやクイックから作業に見合った別の間接活線作業用工具に持ち替えて作業しなければならず、作業が煩雑になり作業時間が延びる問題もある。
【０００８】
本発明は、かかる事情に鑑みてなされたものであり、複数の種類の間接活線用先端工具を使用せずに１つの間接活線用先端工具で作業することが可能な間接活線用先端工具を提供することを主たる課題としている。
【課題を解決するための手段】
【０００９】
上記課題を達成するために、本発明に係る間接活線用先端工具は、間接活線工具の可動側の先端部に取り付け可能に形成された第１の把持片と、前記間接活線工具の固定側の先端部に取り付け可能に形成された第２の把持片と、によって構成される間接活線用先端工具において、前記第１の把持片及び第２の把持片は、間接活線工具の先端部に取り付け可能に形成された接続部と、前記接続部に続いて形成された爪部と、を有し、前記爪部は、先端方向に延出して形成された棒状部を有し、前記間接活線工具を開いたときの前記第１の把持片と第２の把持片間の距離は、把持対象物の最大幅よりも長く形成され、前記棒状部の長さは、前記把持対象物の最大幅の半分の長さを少なくとも有し、前記第２の把持片は、前記第１の把持片よりも把持方向の幅が広く形成され、前記第１の把持片には、ｎ本（ｎは２以上の整数）の棒状部が一体に形成され、前記第２の把持片には、ｎ＋１本の棒状部が一体にして形成され、前記第１の把持片及び前記第２の把持片のそれぞれの爪部の隣り合う棒状部間には隙間が形成され、前記間接活線工具を閉じたときに、一方の把持片の前記隙間に他方の把持片の前記棒状部が挿通して、両把持片が交差することを特徴としている。
【００１０】
間接活線工具を開いたときの第１の把持片と第２の把持片間の距離は、把持対象物の最大幅よりも長く形成され、爪部は、先端方向に延出して形成された棒状部を有し、棒状部の長さは、前記把持対象物の最大幅の半分の長さを少なくとも有し、第１又は第２の把持片の少なくともいずれか一方の前記爪部に隙間が形成され、間接活線工具を閉じたときに、前記隙間に他方の把持片の爪部の先端が挿通して、両把持片が交差することで、ピン碍子の碍子部分のような太径のものについては、把持対象物の重心を挟んだ両側面を把持部が把持することができ、また、引下線のような細径のものについては、隙間と棒状部の先端との間に把持対象物を挟み込んで把持することができるため、複数の間接活線工具を用いずに把持対象物を安定的に把持することが可能となる。
第２の把持片は、第１の把持片よりも把持方向の幅が広く形成され、隙間が第２の把持片の爪部に形成されることで、間接活線先端工具の固定側をより広い面積で把持対象物支えることが可能となるため、より安定した把持が可能となる。
隙間が棒状部間に形成されることで、間接活線用先端工具の軽量化を図ることが可能となり、作業時の作業者の疲労を軽減することが可能となる。
隙間は、第１の把持片及び第２の把持片の爪部に形成され、前記第２の把持片の爪部は、少なくとも２箇所以上に隙間が形成されることで、少なくとも第１の把持片の爪部に２本の棒状部と、第２の把持片の爪部に３本の棒状部を有することになり、ピン碍子の碍子部分のような太径かつ重量があるものをより広い面積で把持することが可能になるため、安定して把持することが可能となる。
【００１１】
第１の把持片には、２本の棒状部が一体に形成され、前記第２の把持片には、３本の棒状部が一体にして形成されるようにしてもよい。
【００１２】
前記棒状部は、前記間接活線用工具を最大限に開いたときに円筒状の把持対象物の側面に沿うように把持方向の内側に湾曲し、かつ、その長さが前記把持対象物の半径よりも長く形成されるようにしてもよい。
棒状部は、把持方向の内側に湾曲して形成されることで、円筒状に形成された把持対象の側面に沿って把持することができるため、安定して把持することができるため、把持対象物が落下することを防止することが可能となる。
【発明の効果】
【００１３】
以上述べたように、本発明の間接活線用先端工具によれば、間接活線工具を開いたときの第１の把持片と第２の把持片間の距離は、把持対象物の最大幅よりも長く形成され、爪部は、先端方向に延出して形成された棒状部を有し、棒状部の長さは、前記把持対象物の最大幅の半分の長さを少なくとも有し、第１又は第２の把持片の少なくともいずれか一方の前記爪部に隙間が形成され、間接活線工具を閉じたときに、前記隙間に他方の把持片の爪部の先端が挿通して、両把持片が交差することで、ピン碍子の碍子部分のような太径のものについては、把持対象物の重心を挟んだ両側面を把持部が把持することができ、また、引下線のような細径のものについては、隙間に棒状部の先端を挿通させて把持対象物を挟み込むことで把持することができるため、複数の間接活線工具を用いずに把持対象物を安定的に把持することが可能となる。
【００１４】
このため、クイックとヤットコの両方の工具を準備したり、クイックとヤットコを使い分けたりする必要がなくなるため、作業時間の短縮を図ることが可能となり、必要な間接活線工具も最小限になるためより広い作業スペースを確保することが可能となる。
【図面の簡単な説明】
【００１５】
【図１】図１は、実施例１の間接活線用先端工具の全体を示したもので、（ａ）は、間接活線用先端工具の斜視図であり、（ｂ）は、間接活線用先端工具の正面図である。
【図２】図２は、間接活線工具及び間接活線用先端工具を装着した間接活線工具の斜視図を示したもので、（ａ）は、間接活線工具の斜視図であり、（ｂ）は、間接活線用先端工具を装着した間接活線工具の斜視図であり、（ｃ）は、間接活線用先端工具を装着した間接活線工具を閉じたときの斜視図である。
【図３】図３は、ピン碍子の碍子部分を把持した状態を示す間接活線用先端工具の斜視図である。
【図４】図４は、引下線を把持した状態を示す間接活線用先端工具の斜視図である。
【図５】図５は、実施例２の間接活線用先端工具の全体を示した正面図である。
【発明を実施するための形態】
【００１６】
以下、本発明の間接活線用先端工具について、把持対象物としてピン碍子を使用した例を添付図面を参照して説明する。
【実施例１】
【００１７】
図１から３に示すように、間接活線用先端工具１は、間接活線工具２の可動側の先端部２１に取り付け可能に形成された第１の把持片３と、間接活線工具２の固定側の先端部２２に取り付け可能に形成された第２の把持片４と、によって構成されている。
【００１８】
第１の把持片３及び第２の把持片４は、間接活線工具２の先端部に取り付け可能に形成された接続部５ａ，５ｂと、接続部５ａ，５ｂに続いて形成された爪部（把持部）６ａ，６ｂと、を有して構成されている。
ここで、間接活線工具２の先端に間接活線用先端工具１を取り付けた場合の間接活線工具２を開いたとき（第１及び第２の把持片４が互いに離隔するように操作したとき）の第１の把持片３と第２の把持片４間の把持方向の離隔距離Ｌａは、把持対象物の最大幅Ｌｂ（ピン碍子７の碍子部分７０の直径）よりも長くなっている。
【００１９】
接続部５は、第１及び第２の把持片３，４の後端に設けられ、間接活線工具の先端部２１，２２を挿入可能に構成された先端挿入部５１ａ，５１ｂと、先端挿入部５１ａ，５１ｂに挿入された間接活線工具２の先端部２１，２２を固定する先端固定手段５２ａ，５２ｂとを備えている。
【００２０】
先端挿入部５１ａ，５１ｂは、間接活線工具２の先端部２１，２２を挿入可能に構成された挿入空間を有し、挿入空間内に先端固定手段５２ａ，５２ｂの一部が出退可能に構成されている。
【００２１】
先端固定手段５２ａ，５２ｂは、間接活線工具２の先端部２１，２２に形成された凹部（図示せず）と係合する係合部５４を備え、係合部５４が先端挿入部５１ａ，５１ｂの挿入空間内に出退可能に構成されている。
【００２２】
具体的には、先端固定手段５２ａ，５２ｂは、弾性部材を備えており、係合部が弾性部材により挿入空間に押し出す方向に付勢されることで、間接活線工具２の先端部２１，２２凹部と係合部との係合が固定されるように構成されている。
【００２３】
第１の把持片３の爪部６ａは、先端方向に延出して形成された１本の棒状部６１を有して形成されており、棒状部６１は、第１の把持片３と第２の把持片４を対峙させたときに把持方向の内側に湾曲して形成されている。なお、棒状部６１の湾曲は、間接活線工具２を最大限に開いたときに把持可能な円筒状の把持対象物の側面に沿うように形成されている。
【００２４】
棒状部６１の長さはＬ１、ピン碍子７の碍子部分７０の最大幅の半分（碍子部分７０の半径）の長さを少なくとも有しており、間接活線工具２の先端部よりも長く形成されている。
【００２５】
第２の把持片４の爪部６ｂは、第１の把持片３の爪部６ａと同じ太さの２本の棒状部６２が一体にして二股状に形成されている。２本の棒状部６２は、第１の把持片３の爪部６ａと同様に把持方向の内側に湾曲して形成され、いずれの棒状部６２の長さＬ２も、第１の把持片３の爪部６の棒状部６１と同様に少なくともピン碍子７の碍子部分７０の半径よりも長く形成されている。なお、第１の把持片６ａの棒状部６１の曲率と、第２の把持片６ｂの棒状部６２の曲率と、は、円筒状に形成された部材を把持するため同程度であることが望ましい。
【００２６】
また、２本の棒状部６２間には、両棒状部６２の根元から先端部にかけて隙間６５が形成され、この隙間６５は、第１の把持片３の爪部６ａの先端が挿通可能な間隔Ｍを有している。
【００２７】
したがって、第２の把持片４の爪部６ｂの把持方向の幅Ｎｂは、第１の把持片３の爪部６ａの把持方向の幅Ｎａよりも広く形成され、また、間接活線工具２を閉じたとき（第１及び第２の把持片３，４が互いに近接するように操作したとき）に、第２の把持片４の隙間６５に第１の把持片３の爪部６ａの先端が挿通して、両把持片３，４が交差するように形成されている。
【００２８】
以上で説明した間接活線用先端工具１を用いて、ピン碍子７を把持するには、図３に示すように、間接活線工具２の先端に間接活線用先端工具１を取り付け、ピン碍子７の碍子部分７０の重心を挟んだ両側面を把持する。
また、引下線８のような細径のものを把持するには、図４に示すように、隙間６５と棒状部６２の先端との間に引下線８を挟み込んで把持する。
【００２９】
以上のように、本発明の間接活線用先端工具１によれば、間接活線工具２を開いたときの第１の把持片３と第２の把持片４間の距離Ｌａは、ピン碍子７の碍子部分７０の直径Ｌｂよりも長く形成され、爪部６ａ，６ｂは、先端方向に延出して形成された棒状部６１，６２を有し、棒状部６１，６２の長さは、ピン碍子７の碍子部分７０の半径の長さを少なくとも有し、第２の把持片４の爪部６ｂに隙間６５が形成され、間接活線工具２を閉じたときに、隙間６５に第１の把持片３の爪部６ａの先端が挿通して、両把持片３，４が交差することで、ピン碍子７の碍子部分７０のような太径のものについては、碍子部分７０の重心を挟んだ両側面を爪部６ａ，６ｂが把持することができ、また、引下線８のような細径のものについては、隙間６５に棒状部の先端を挿通させて挟み込んで把持することができるため、複数の間接活線工具２を用いずに把持対象物を安定的に把持することが可能となる。
【００３０】
このため、クイックとヤットコの両方を準備したり、クイックとヤットコを使い分けたりする必要がなくなるため、作業時間の短縮を図ることが可能となり、必要な間接活線工具２も最小限になるためより広い作業スペースを確保することが可能となる。
【００３１】
第２の把持片４の把持方向の幅Ｎｂは、第１の把持片３の把持方向の幅Ｎａよりも広く形成され、隙間６５が第２の把持片４の爪部６ｂに形成されることで、間接活線先端工具の固定側をより広い面積で把持対象物支えることが可能となるため、より安定した把持が可能となる。
【００３２】
隙間６５が第２の把持片４の棒状部間に形成されることで、間接活線用先端工具１の軽量化を図ることが可能となり、作業時の作業者の疲労を軽減することが可能となる。
【００３３】
なお、本実施例においては、第２の把持片４に隙間６５が形成されるように説明したが、これには限定されず、第１の把持片３と第２の把持片４を入れ替えて第１の把持片３に隙間６５が形成されたもので実施してもよい。
【実施例２】
【００３４】
上述の実施例においては、第２の把持片４の棒状部６２間に隙間６５が形成されるように説明したが、ピン碍子７の碍子部分７０のような太径かつ重量があるものについては、広い面積で把持することで安定して把持することができるため、第１及び第２の把持片３，４の両方に隙間を形成して把持面積を広くするようにしてもよい。以下、本実施例の間接活線用先端工具１について説明するが、実施例１と同様の構成箇所には、同一符号を付して説明を省略する。
【００３５】
図４に示すように、第１の把持片３の爪部６ａは、同じ太さの２本の棒状部６１ａ，６１ｂが一体にして二股状に形成されている。２本の棒状部６１は、把持方向の内側に湾曲して形成され、いずれの棒状部６１の長さＬ３も、少なくともピン碍子７の碍子部分７０の半径よりも長く形成されている。
【００３６】
また、２本の棒状部６１ａ，６１ｂ間には、両棒状部６１ａ，６１ｂの根元から先端部にかけて隙間６６が形成され、この隙間６６は、後述の第２の把持片４の爪部６ｂの中央に設けられた棒状部６２ｂの先端が挿通可能な間隔Ｍ１を有している。
【００３７】
第２の把持片４の爪部６ｂは、３本の棒状部６２ａ，６２ｂ，６２ｃから成り、中央に設けられた棒状部６２ｂから左右に分岐した棒状部６２ａ，６２ｂが一体にして形成されている。
３本の棒状部６２ａ，６２ｂ，６２ｃは、それぞれ第１の把持片３の棒状部６１ａ，６１ｂと同じ太さで形成され、それぞれの長さＬ４も少なくともピン碍子７の碍子部分７０の半径よりも長く形成され、いずれも把持方向の内側に湾曲しその曲率も第１の把持片３の棒状部６１ａ，６１ｂと同じである。
【００３８】
また、３本の棒状部間（棒状部６２ａと棒状部６２ｂとの間及び棒状部６２ｂと棒状部６２ｃとの間）には、それぞれの対峙する棒状部６２ａ，６２ｂ，６２ｃの根元から先端部にかけて隙間６７ａ，６７ｂが形成されている。
【００３９】
この隙間６７ａは、前述の第１の把持片３の爪部６ａに設けられた棒状部６１ａの先端が挿通可能な間隔Ｍ２を有しており、同様に隙間６７ｂは、第１の把持片３の爪部６ａに設けられた棒状部６１ｂの先端が挿通可能な間隔Ｍ３を有している。
【００４０】
したがって、第２の把持片４の爪部６ｂの把持方向の幅Ｎｃは、第１の把持片３の爪部６ａの把持方向の幅Ｎｄよりも広く形成され、間接活線工具２を閉じたときに、第１の把持片３の隙間６３に第２の把持片４の棒状部６２ｂの先端が挿通するとともに、第２の把持片４の隙間６７ａには第１の把持片３の棒状部６１ａの先端が、また、第２の把持片４の隙間６７ｂには第１の把持片３の棒状部６１ｂの先端が挿通して両把持片３，４が交差するように形成されている。
【００４１】
以上のように本発明の間接活線用先端工具１によれば、第１の把持片３の爪部６ａが２本の棒状部６１ａ，６１ｂによって構成され、この棒状部６１ａ，６１ｂ間に隙間６６が形成され、また、第２の把持片４の爪部６ｂが３本の棒状部６２ａ，６２ｂ，６２ｃによって構成されこれらの棒状部６２ａ，６２ｂ，６２ｃ間に隙間６７ａ，６７ｂが形成されることで、ピン碍子７の碍子部分７０のような太径かつ重量があるものをより広い面積で把持することが可能になるため、安定して把持することが可能となる。
【００４２】
なお、本実施例においては、第１の把持片３の爪部６ａが２本の棒状部６１ａ，６１ｂによって構成され、また、第２の把持片４の爪部６ｂが３本の棒状部６２ａ，６２ｂ，６２ｃによって構成されるようにしたが、さらに棒状部と隙間を増やして実施してもよく、たとえば、第１の把持片３の爪部６ａがｎ本、第２の把持片４の爪部６ｂがｎ＋１本の棒状部で構成されるようにしてもよい。
【００４３】
また、第１の把持片３の棒状部の数は、第２の把持片４の棒状部よりも１本少なく形成されるようにしたが、これに限られず、たとえば、第１の把持片３の爪部６ａが２本、第２の把持片４の爪部６ｂが４本の棒状部で構成される等、異なる棒状部の本数になるようにしてもよい。
【符号の説明】
【００４４】
１  間接活線用先端工具
２  間接活線工具
３  第１の把持片
４  第２の把持片
５ａ，５ｂ  接続部
６ａ，６ｂ  爪部
６５  隙間
Ｌａ  第１の把持片と第２の把持片間の距離
Ｌｂ  把持対象物の最大幅（ピン碍子の碍子部分の直径）
Ｌ１  第１の把持片の棒状部の長さ
Ｍ  隙間の間隔
Ｎａ，Ｎｂ  第１及び２の把持片の把持方向の幅
【要約】      （修正有）【課題】複数の種類の間接活線用先端工具を使用せずに１つの間接活線用先端工具で作業することが可能な間接活線用先端工具を提供する。【解決手段】間接活線用先端工具１は、間接活線工具の先端部に取り付け可能に形成された第１の把持片３と、間接活線工具の先端部に取り付け可能に形成された第２の把持片４と、で構成される。第１及び第２の把持片は、先端部に取り付け可能に形成された接続部５ａ，５ｂと、接続部に続いて形成された爪部６ａ，６ｂと、を有する。間接活線工具を開いたときの第１の把持片と第２の把持片間の距離は、把持対象物の最大幅よりも長く形成され、爪部を構成する棒状部６１，６２の長さは、把持対象物の最大幅の半分の長さを少なくとも有する。間接活線工具を閉じると、第２の把持片の爪部に形成された隙間６５に、第１の把持片の爪部の先端が挿通する。【選択図】図１【図１】
0005456145.tif 000002
【図２】
0005456145.tif 000003
【図３】
0005456145.tif 000004
【図４】
0005456145.tif 000005
【図５】
0005456145.tif 000006